(57)【要約】【課題】通話中にバッテリの残容量が少なくなった場合に、通話相手先に対して、自動的に、まもなくバッテリが切れる旨の通知を送信する携帯端末を提供する。【解決手段】通話相手先との通話を行っている携帯端末例えば携帯電話機１において、携帯端末制御部２００は、あらかじめ定めた周期で定期的に、バッテリ残容量測定部３００において測定されたバッテリ７００の残容量が、あらかじめ定めた閾値以下に低下したことを検出した場合、バッテリ切れ通知部４００を起動して、まもなくバッテリ切れになる旨を、ＳＭＳ（Short  Message  Service）規格準拠のショートメッセージとして作成し、作成した該ショートメッセージをバッテリ切れ通知として通話相手先に送信する。または、音声装置８００を起動して、音声装置８００への登録音声情報のうち、まもなくバッテリ切れになる旨を示す音声情報をバッテリ切れ通知として通話相手先に送信する。【選択図】        図１
2011171910.tif 000002
【特許請求の範囲】
【請求項１】
通話相手先との通話を行う携帯端末であって、バッテリの残容量を測定するバッテリ残容量測定部を少なくとも備えた携帯端末において、前記通話相手先との通話中の状態において、前記バッテリ残容量測定部によって測定された前記バッテリの残容量が、あらかじめ定めた閾値以下に低下したことを検出した場合、まもなくバッテリ切れになる旨を、ＳＭＳ（Short  Message  Service）規格準拠のショートメッセージとして作成して、作成した該ショートメッセージをバッテリ切れ通知として前記通話相手先に送信することを特徴とする携帯端末。
【請求項２】
通話相手先との通話を行う携帯端末であって、バッテリの残容量を測定するバッテリ残容量測定部とあらかじめ登録している音声情報を送信する音声装置とを少なくとも備えた携帯端末において、前記通話相手先との通話中の状態において、前記バッテリ残容量測定部によって測定された前記バッテリの残容量が、あらかじめ定めた閾値以下に低下したことを検出した場合、前記音声装置にあらかじめ登録されている音声情報のうち、まもなくバッテリ切れになる旨を示す音声情報を、バッテリ切れ通知として前記通話相手先に送信することを特徴とする携帯端末。
【請求項３】
前記通話相手先に送信する前記バッテリ切れ通知として、当該バッテリ切れ通知の送信後に、ただちに、あるいは、あらかじめ定めた時間の経過後に、通話状態を強制的に終了させる動作としてネットワークに対して電源ＯＦＦによる開放処理を行う旨の情報を含んでいることを特徴とする請求項１または２に記載の携帯端末。
【請求項４】
前記通話相手先が、ＳＭＳ規格準拠のショートメッセージ受信機能を有している通信端末か否か、および、着信動作による通話の場合当該通話相手先の電話番号を通知してきたか否かに基づいて、当該通話相手先に送信する前記バッテリ切れ通知の送信方法として、ＳＭＳ規格準拠のショートメッセージを用いるか、または、前記音声装置からの音声情報を用いるか、のいずれかを判別することを特徴とする請求項１ないし３のいずれかに記載の携帯端末。
【請求項５】
バッテリの残容量を測定するバッテリ残容量測定部を少なくとも備え、かつ、通話相手先との通話を行う携帯端末におけるバッテリ切れ通知方法であって、前記通話相手先との通話中の状態において、前記バッテリ残容量測定部によって測定された前記バッテリの残容量が、あらかじめ定めた閾値以下に低下したことを検出した場合、まもなくバッテリ切れになる旨を、ＳＭＳ（Short  Message  Service）規格準拠のショートメッセージとして作成して、作成した該ショートメッセージをバッテリ切れ通知として前記通話相手先に送信することを特徴とするバッテリ切れ通知方法。
【請求項６】
バッテリの残容量を測定するバッテリ残容量測定部とあらかじめ登録している音声情報を送信する音声装置とを少なくとも備え、かつ、通話相手先との通話を行う携帯端末におけるバッテリ切れ通知方法であって、前記通話相手先との通話中の状態において、前記バッテリ残容量測定部によって測定された前記バッテリの残容量が、あらかじめ定めた閾値以下に低下したことを検出した場合、前記音声装置にあらかじめ登録されている音声情報のうち、まもなくバッテリ切れになる旨を示す音声情報を、バッテリ切れ通知として前記通話相手先に送信することを特徴とするバッテリ切れ通知方法。
【請求項７】
前記通話相手先に送信する前記バッテリ切れ通知として、当該バッテリ切れ通知の送信後に、ただちに、あるいは、あらかじめ定めた時間の経過後に、通話状態を強制的に終了させる動作としてネットワークに対して電源ＯＦＦによる開放処理を行う旨の情報を含んでいることを特徴とする請求項５または６に記載のバッテリ切れ通知方法。
【請求項８】
前記通話相手先が、ＳＭＳ規格準拠のショートメッセージ受信機能を有している通信端末か否か、および、着信動作による通話の場合当該通話相手先の電話番号を通知してきたか否かに基づいて、当該通話相手先に送信する前記バッテリ切れ通知の送信方法として、ＳＭＳ規格準拠のショートメッセージを用いるか、または、前記音声装置からの音声情報を用いるか、のいずれかを判別することを特徴とする請求項５ないし７のいずれかに記載のバッテリ切れ通知方法。
【請求項９】
請求項５ないし８のいずれかに記載のバッテリ切れ通知方法を、コンピュータによって実行可能なプログラムとして実施していることを特徴とするバッテリ切れ通知プログラム。
【請求項１０】
請求項９に記載のバッテリ切れ通知プログラムを、コンピュータによって読み取り可能な記録媒体に記録していることを特徴とするプログラム記録媒
【発明の詳細な説明】
【技術分野】
【０００１】
本発明は、携帯端末、バッテリ切れ通知方法、バッテリ切れ通知プログラムおよびプログラム記録媒体に関し、特に、通話中にバッテリ残容量が少なくなった場合に自動的に通話相手先にＳＭＳ（Short  Message  Service）機能やアナウンス機能を利用して、バッテリ切れの旨を通知することが可能な携帯端末、バッテリ切れ通知方法、バッテリ切れ通知プログラムおよびプログラム記録媒体に関する。
【背景技術】
【０００２】
近年、急速に、携帯電話機が普及し、現在では、音声通信、メールの利用だけではなく、ＷＥＢサイトの閲覧、テレビの視聴などの利用も増加しており、これらの機能における用途、使用方法も様々である。
【０００３】
携帯電話機等の携帯端末は、特許文献１の特開２００１−２６８１８３号公報「バッテリ・アラーム機能付き携帯電話機」や特許文献２の特開２００２−７８０２２号公報「携帯電話機用バッテリ交換サービスの照会システム」にも示すように、バッテリを電源としており、各種の機能を使用しているうちに、該バッテリの残容量が減少し、該バッテリの残容量がなくなると、携帯電話機の現在の使用状態の如何に関わらず、通話機能をはじめとして、当該携帯電話機のすべての機能が停止した状態になり、当該携帯電話機を再度使用可能な状態にするためには、残容量がなくなったバッテリの充電を行うことが必要である。
【先行技術文献】
【特許文献】
【０００４】
【特許文献１】特開２００１−２６８１８３号公報（第２−３頁）
【特許文献２】特開２００２−７８０２２号公報（第２−３頁）
【発明の概要】
【発明が解決しようとする課題】
【０００５】
従来の通常の携帯電話機においては、前述したように、通話中にバッテリ切れとなって、通話が切断してしまった場合、通話相手先は、なぜ通話が切断してしまったのか、あるいは、なぜ相手の携帯電話機の電源が入っていない状態になったのかが分からず、不快感や不安感を抱いてしまう。一方、携帯電話機のバッテリ切れが発生した側においても、携帯電話機を再起動することができず、通話相手先に連絡を取って、通話が途中で終了してしまった理由を伝えることもできなかった。
【０００６】
また、従来の携帯電話機においては、バッテリの残容量が少なくなった場合、警告音などで通知する機能を備えているものもあるが、通話相手先にとって、当該警告音は、何の警告音であったのかが不明確になっていて、反って、不快感を与えてしまう。かかる事態を防止するために、例えば、特開２００３−１３４１８７号公報「携帯電話機、バッテリ切れ通知方法、バッテリ切れ通知プログラムおよびプログラム記録媒体」には、通話中にバッテリの残容量が少なくなった場合に、通話相手先との通話を切断して、自動的に、留守番電話サービスセンタに通話先を転送する方法や、バッテリ切れの旨を示すバッテリ切れお知らせメールを通話相手先に送信する方法が提案されているが、ユーザが留守番電話サービスを申し込んでいないときや通話相手先のメールアドレスを登録していないときには、使用することができないという不便さがある。
【０００７】
（本発明の目的）
本発明は、かかる事情に鑑みてなされたものであり、その目的とするところは、通話中にバッテリの残容量が少なくなった場合に、通話相手先に対して、世界中に普及しているＳＭＳ（Short Message Service）規格に準拠したショートメッセージを用いて、あるいは、多くの通常の携帯電話機等に備えられているアナウンス機能（音声案内等の人工音声情報または録音音声情報の送信機能）を利用して、自動的に、まもなくバッテリの残容量が切れる旨の通知を事前に送信する携帯端末、バッテリ切れ通知方法、バッテリ切れ通知プログラムおよびプログラム記録媒体を提供することにある。
【課題を解決するための手段】
【０００８】
前述の課題を解決するため、本発明による携帯端末、バッテリ切れ通知方法、バッテリ切れ通知プログラムおよびプログラム記録媒体は、次のような特徴的な構成を採用している。
【０００９】
（１）本発明による第１の携帯端末は、通話相手先との通話を行う携帯端末であって、バッテリの残容量を測定するバッテリ残容量測定部を少なくとも備えた携帯端末において、前記通話相手先との通話中の状態において、前記バッテリ残容量測定部によって測定された前記バッテリの残容量が、あらかじめ定めた閾値以下に低下したことを検出した場合、まもなくバッテリ切れになる旨を、ＳＭＳ（Short  Message  Service）規格準拠のショートメッセージとして作成して、作成した該ショートメッセージをバッテリ切れ通知として前記通話相手先に送信する。
（２）本発明による第２の携帯端末は、通話相手先との通話を行う携帯端末であって、バッテリの残容量を測定するバッテリ残容量測定部とあらかじめ登録している音声情報を送信する音声装置とを少なくとも備えた携帯端末において、前記通話相手先との通話中の状態において、前記バッテリ残容量測定部によって測定された前記バッテリの残容量が、あらかじめ定めた閾値以下に低下したことを検出した場合、前記音声装置にあらかじめ登録されている音声情報のうち、まもなくバッテリ切れになる旨を示す音声情報を、バッテリ切れ通知として前記通話相手先に送信することを特徴とする。
（３）本発明による第１のバッテリ切れ通知方法は、バッテリの残容量を測定するバッテリ残容量測定部を少なくとも備え、かつ、通話相手先との通話を行う携帯端末におけるバッテリ切れ通知方法であって、前記通話相手先との通話中の状態において、前記バッテリ残容量測定部によって測定された前記バッテリの残容量が、あらかじめ定めた閾値以下に低下したことを検出した場合、まもなくバッテリ切れになる旨を、ＳＭＳ（Short  Message  Service）規格準拠のショートメッセージとして作成して、作成した該ショートメッセージをバッテリ切れ通知として前記通話相手先に送信することを特徴とする。
（４）本発明による第２のバッテリ切れ通知方法は、バッテリの残容量を測定するバッテリ残容量測定部とあらかじめ登録している音声情報を送信する音声装置とを少なくとも備え、かつ、通話相手先との通話を行う携帯端末におけるバッテリ切れ通知方法であって、前記通話相手先との通話中の状態において、前記バッテリ残容量測定部によって測定された前記バッテリの残容量が、あらかじめ定めた閾値以下に低下したことを検出した場合、前記音声装置にあらかじめ登録されている音声情報のうち、まもなくバッテリ切れになる旨を示す音声情報を、バッテリ切れ通知として前記通話相手先に送信することを特徴とする。
（５）本発明によるバッテリ切れ通知プログラムは、前記（３）又は（４）のいずれかに記載のバッテリ切れ通知方法を、コンピュータによって実行可能なプログラムとして実施していることを特徴とする。
（６）本発明によるプログラム記録媒は、前記（５）に記載のバッテリ切れ通知プログラムを、コンピュータによって読み取り可能な記録媒体に記録していることを特徴とする。
【発明の効果】
【００１０】
本発明の携帯端末、バッテリ切れ通知方法、バッテリ切れ通知プログラムおよびプログラム記録媒体によれば、以下のような効果を奏することができる。
【００１１】
つまり、本発明の携帯端末バッテリ切れ通知方法、バッテリ切れ通知プログラムおよびプログラム記録媒体によれば、バッテリの残容量が少なくなった場合に、自動的に、通話相手先に対して、ＳＭＳ規格準拠のショートメッセージ又は音声装置にあらかじめ登録している音声情報により、まもなくバッテリの残容量が切れる旨を事前に通知しているので、通話中に突然のバッテリ切れにより突然通話切断が発生するという失礼な事態の発生を完全に防止することができる。通話相手先は、通話の途中で通話が不能になった原因について、相手の携帯端末のバッテリの残容量が切れたことが原因であることを容易に理解することができる。
【図面の簡単な説明】
【００１２】
【図１】本発明による携帯端末の一例である携帯電話機の装置構成の要部を示すブロック構成図である。
【図２】図１に示す携帯電話機の動作の一例を説明するためのフローチャートである。
【図３】図１に示す携帯電話機が通話相手先の携帯電話機と接続されている状態を説明するためのネットワーク接続構成図である。
【図４】図１に示す携帯電話機の通話相手先の電話番号を本体表示部に画面表示している例を示す画面図である。
【図５】図１に示す携帯電話機のバッテリ切れ通知を送信する送信先の電話番号を自動的に設定する動作の一例を画面表示例を用いて示している画面図である。
【図６】図１に示す携帯電話機がネットワークに対するＤｅｔａｃｈ処理（開放処理）として実施する命令シーケンスの一例を示すシーケンスチャートである。
【発明を実施するための形態】
【００１３】
以下、本発明による携帯端末、バッテリ切れ通知方法、バッテリ切れ通知プログラムおよびプログラム記録媒体の好適な実施形態について添付図を参照して説明する。なお、以下の説明においては、本発明による携帯電話機およびバッテリ切れ通知方法について説明するが、かかるバッテリ切れ通知方法をコンピュータにより実行可能なバッテリ切れ通知プログラムとして実施するようにしても良いし、あるいは、バッテリ切れ通知プログラムをコンピュータにより読み取り可能な記録媒体に記録するようにしても良いことは言うまでもない。
【００１４】
また、本発明による携帯端末は、通話機能、ＳＭＳ規格に準拠したショートメッセージ送信機能またはあらかじめ登録している音声情報（音声メッセージ）をアナウンス情報として送信するアナウンスメッセージ送信機能を有している携帯端末であれば、如何なる端末であっても良く、携帯電話機、ＰＨＳ（Personal  Handy-Phone  System）端末、携帯情報端末（ＰＤＡ：Personal  Digital  Assistants）、ノートＰＣ（Personal  Computer）等であっても構わない。
【００１５】
（本発明の特徴）
本発明の実施形態の説明に先立って、本発明の特徴についてその概要をまず説明する。本発明は、通話中に、バッテリの残容量があらかじめ定めた閾値以下に低下した場合に、通話中の相手に対して、まもなくバッテリが切れる旨のバッテリ切れ通知を、世界的に広く普及しているＳＭＳ（Short Message Service）規格に準拠したショートメッセージを用いて、あるいは、多くの通常の携帯電話機等の携帯端末に備えられているアナウンス機能を利用して、自動的に、送信することができることを特徴としている。
【００１６】
つまり、本発明は、携帯端末が通話相手先と通話中にあった場合に、バッテリの残容量があらかじめ定めた閾値以下に低下したことを検出した場合、まず、通話相手先がＳＭＳ準拠のショートメッセージ受信機能を有する携帯端末か否かを判別して、該ショートメッセージ受信機能を有する端末であり、かつ、通話相手先の電話番号が分かっていた場合には、通話相手先に対して、ＳＭＳ規格に準拠したショートメッセージを用いて、あるいは、該ショートメッセージ受信機能を有しているか否かに関係なく、または、ＳＭＳ規格準拠のショートメッセージによる通知が不可能な場合には、通常の携帯端末に備えられているアナウンス機能（音声案内等のあらかじめ登録されている人工音声情報または録音音声情報の送信機能）を用いて、まもなくバッテリ切れになる旨のバッテリ切れ通知を送信した後に、バッテリ切れの通知を送信した携帯端末は、ネットワークに対して電源ＯＦＦによるＤｅｔａｃｈ処理（開放処理）を行う。
【００１７】
(実施形態の構成例)
次に、本発明による携帯端末の一例である携帯電話機を用いて、その装置構成例について図１を用いて説明する。なお、本実施形態においては、ＳＭＳ規格に準拠したショートメッセージを用いて、バッテリ切れ通知を送信する機能を備えている場合を例にとって説明する。図１は、本発明による携帯端末の一例である携帯電話機の装置構成の要部を示すブロック構成図である。なお、図１の携帯電話機１は、スライド式や折畳み式の筐体構造を有する携帯電話機の場合も当然含んでいることは言うまでもない。
【００１８】
図１に示すように、本実施形態における携帯電話機１は、無線部１００、携帯端末制御部２００、バッテリ残容量測定部３００、バッテリ切れ通知部４００、本体操作部５００、本体表示部６００、バッテリ７００、音声装置８００を少なくとも含んで構成されている。ここで、携帯電話機１のユーザが音声通話用として使用するマイク、スピーカ、イヤホンや音声処理部等の部位については、本発明の構成を説明するための要部を構成していないので、図１には示していない。
【００１９】
無線部１００は、音声情報やテキスト情報やショートメッセージやアナウンス情報（あらかじめ登録している人工音声情報または録音音声情報）等を無線局との間で無線信号として送受信する部位であり、無線用のアンテナを含んでいる。携帯端末制御部２００は、当該携帯電話機１の全体の動作を制御する部位であり、本実施形態においては、少なくとも、後述するバッテリ残容量測定部３００、バッテリ切れ通知部４００を含んで構成されている。バッテリ残容量測定部３００は、バッテリ７００の残容量を測定する部位であり、バッテリ切れ通知部４００は、通話中の状態において、バッテリ７００の残容量があらかじめ定めた閾値以下に低下した場合に、まもなくバッテリ７００の残容量が尽きる旨を示すバッテリ切れ通知を、通話相手先に通知する部位である。
【００２０】
また、本体操作部５００は、当該携帯電話機１のユーザが当該携帯電話機１に対する指示を行うために操作を行う部位であり、操作用のボタンやキー等によって構成されている。本体表示部６００は、各種の情報を画面表示して当該携帯電話機１のユーザに提示する部位であり、液晶ディスプレイ等によって構成されている。バッテリ７００は、当該携帯電話機１の各部に電力を供給する電源を構成する部位である。音声装置８００は、あらかじめ登録されている音声情報（人工音声情報または録音音声情報）をアナウンス情報として送信する機能を有するアナウンスマシンである。
【００２１】
(実施形態の動作の説明)
次に、図１に示す携帯電話機１の動作の一例について、図２のフローチャート、図３のネットワーク接続構成図を用いて、説明する。図２は、図１に示す携帯電話機１の動作の一例を説明するためのフローチャートであり、バッテリ７００の残容量があらかじめ定めた閾値以下に低下した場合の動作の一例について示している。図３は、図１に示す携帯電話機１が通話相手先の携帯電話機と接続されている状態を説明するためのネットワーク接続構成図である。
【００２２】
図２のフローチャートにおいて、携帯電話機１が発信または着信の動作を行うと（ステップＳ１）、図３のネットワーク接続構成図に示すように、自局の携帯電話機１は、無線接続された無線局３および交換局５を介して、通話相手先の携帯電話機２が無線接続されている無線局４を経由して通話相手先の携帯電話機２に接続される。
【００２３】
例えば、携帯電話機１が発信動作を行う場合には、当該携帯電話機１のユーザが本体操作部５００を操作して、発信先の相手となる携帯電話機２の電話番号を入力する。入力された携帯電話機２の電話番号情報に対応する入力信号は、本体操作部５００から携帯端末制御部２００に送付される。携帯端末制御部２００は、入力された通話相手先の携帯電話機２に対して呼び出し信号を送信して、通話相手先の携帯電話機２が応答したことを示す応答信号を受け取ると、通話状態に移行する（ステップＳ２）。
【００２４】
また、携帯電話機１が着信動作を行う場合には、当該携帯電話機１の本体表示部６００に着信してきた通話相手先の携帯電話機２の電話番号が画面表示される。画面表示された該携帯電話機２の電話番号を読み取った当該携帯電話機１のユーザが本体操作部５００を操作して、応答する操作を行うと、入力された応答操作に対応する入力信号は、本体操作部５００から携帯端末制御部２００に送付される。携帯端末制御部２００は、携帯電話機１が応答した旨の応答信号を通話相手先の携帯電話機２に返送することにより、通話状態に移行する（ステップＳ２）。
【００２５】
なお、携帯端末制御部２００は、当該携帯電話機１が通話状態に移行すると、通常、通話相手先の携帯電話機２の電話番号を、保存するのみならず、通話相手先がＳＭＳ規格に準拠のショートメッセージ受信機能を備えた携帯電話機であった場合には、図４（Ａ）に示すように、本体表示部６００に画面表示する。ただし、通話相手先の携帯電話機２の電話番号を本体表示部６００に画面表示する場合は、通話相手先が、ＳＭＳ規格に準拠のショートメッセージ受信機能を備えた携帯端末例えば携帯電話機であり、かつ、着信動作時においては、通話相手先から電話番号の通知がなされている場合に限られる。
【００２６】
図４は、図１に示す携帯電話機１の通話相手先の電話番号を本体表示部６００に画面表示している例を示す画面図であり、図４（Ａ）は、通話相手先が、ＳＭＳ規格に準拠のショートメッセージ受信機能を備えた携帯端末例えば携帯電話機であり、かつ、着信動作時においては、通話相手先の電話番号の通知が許可されている場合の画面表示例を示し、図４（Ｂ）は、通話相手先が、ＳＭＳ規格に準拠のショートメッセージ受信機能を備えた携帯端末例えば携帯電話機ではない固定電話機や公衆電話機であった場合や、あるいは、着信動作時において通話相手先の電話番号の通知が不許可（番号非通知）であった場合の画面表示例を示している。
【００２７】
つまり、図４（Ａ）においては、「通話中」の状態にある通話相手先の携帯電話機２の電話番号が「０９０−５６７８−００００」であることを画面表示している。一方、図４（Ｂ）においては、「通話中」の状態にある通話相手先が、ＳＭＳ規格に準拠のショートメッセージ受信機能を有していない電話機例えば固定電話機や公衆電話機であるか、あるいは、ＳＭＳ規格に準拠のショートメッセージ受信機能を有している携帯電話機であったとしても、電話番号の通知を不許可としている携帯電話機であった場合を「固定／公衆電話／非通知」として画面表示している例を示している。
【００２８】
図２のフローチャートにおいて、通話中の状態にある携帯電話機１の携帯端末制御部２００は、あらかじめ定めた時間間隔で、定期的に、バッテリ残容量測定部３００において測定されたバッテリ７００の残容量が、あらかじめ定めた閾値以下に低下しているか否かを判定する（ステップＳ３）。ここで、判定基準として用いるバッテリ残容量に関する閾値は、バッテリ７００の残容量切れによって当該携帯電話機１が動作不能に陥る直前の状態の値であって、かつ、あらかじめ定めた所定の動作（例えば、ＳＭＳ規格準拠のショートメッセージや音声装置８００からのアナウンス情報によるバッテリ切れメッセージを通話相手先に通知する動作を実施した後、ネットワークに対して電源ＯＦＦによるＤｅｔａｃｈ処理（開放処理）を実施する動作）を維持することが可能な値を用いる。
【００２９】
バッテリ７００の残容量が、前記閾値以下には低下していないと判定した場合は（ステップＳ３のＮｏ）、携帯端末制御部２００は、バッテリ７００の残容量として通話を継続するために必要十分な容量がまだ残っているものと判断して、次に、通話が終了したか否かを判定する（ステップＳ４）。通話がまだ終了していない場合は（ステップＳ４のＮｏ）、ステップＳ２に復帰して、そのまま、通話中の状態を継続する。また、通話が終了した場合は（ステップＳ４のＹｅｓ）、通話相手先の携帯電話機２との間の通話の終話処理を行う（ステップＳ５）。
【００３０】
一方、バッテリ７００の残容量が、前記閾値以下に低下していると判定した場合は（ステップＳ３のＹｅｓ）、携帯端末制御部２００は、バッテリ７００が残容量切れに陥る寸前にあるものと判断して、ステップＳ６に移行する。ステップＳ６においては、通話相手先の携帯電話機２に対して、バッテリ７００の残容量が低下して、まもなくバッテリ切れになる旨を通知するバッテリ切れ通知を、ＳＭＳ規格準拠のショートメッセージによって送信する場合には、該送信動作に先立って、通話相手先が、ＳＭＳ規格準拠のショートメッセージ受信機能を備えていない固定電話機や公衆電話機であるか否か、さらには、着信時に通話相手先の電話番号が非通知（番号非通知）の電話機であったか否かを判定する（ステップＳ６）。
【００３１】
通話相手先が、ＳＭＳ規格準拠のショートメッセージ受信機能を備えていない固定電話機や公衆電話機であった場合や、ＳＭＳ規格準拠のショートメッセージ受信機能を備えている携帯電話機であったとしても着信時に通話相手先の電話番号が非通知の電話機であった場合には（ステップＳ６のＹｅｓ）、バッテリ切れ通知をＳＭＳ規格準拠のショートメッセージとして送信することができない場合であるので、携帯端末制御部２００は、バッテリ切れ通知の送信動作を行うことなく、ステップＳ９へ移行する。
【００３２】
一方、通話相手先が、固定電話機や公衆電話機ではなく、ＳＭＳ規格準拠のショートメッセージ受信機能を備えている携帯電話機であり、かつ、着信動作による通話の場合においては通話相手先の電話番号が通知された電話機であった場合には（ステップＳ６のＮｏ）、携帯端末制御部２００は、バッテリ切れ通知部４００を起動して、ステップＳ７に移行し、バッテリ切れ通知部４００において、バッテリ７００の残容量が低下して、まもなくバッテリ切れになる旨を通知するバッテリ切れ通知を、ＳＭＳ規格準拠のショートメッセージとして作成して、通話相手先の携帯電話機２に対して、該ショートメッセージを送信する（ステップＳ７）。ここで、バッテリ切れ通知としては、バッテリ７００の残容量が低下して、まもなくバッテリ切れになる旨の通知のみならず、当該ショートメッセージの送信後に、通話状態を強制的に終了させる動作として、ネットワークに対して電源ＯＦＦによるＤｅｔａｃｈ処理（開放処理）を行う旨も通知する。
【００３３】
なお、バッテリ切れ通知の送信先の電話番号つまり通話中の通話相手先の携帯電話機２の電話番号は、ステップＳ２において保存している。したがって、ステップＳ７においては、図５に示すように、携帯端末制御部２００のバッテリ切れ通知部４００は、ステップＳ２において保存されている通話中の通話相手先の携帯電話機２の電話番号を取り出して、バッテリ切れ通知を示すショートメッセージの送信先の電話番号として、自動的に、設定することができる。図５は、図１に示す携帯電話機１のバッテリ切れ通知を送信する送信先の電話番号を自動的に設定する動作の一例を本体表示部６００への画面表示例を用いて示している画面図であり、図５（Ａ）は、バッテリ切れ通知を示すショートメッセージを送信する場合を示し、図５（Ｂ）は、バッテリ切れ通知を示すショートメッセージを送信しない場合を示している。
【００３４】
つまり、図５（Ａ）に示すように、バッテリ切れ通知を示すショートメッセージの送信先が、ＳＭＳ規格準拠のショートメッセージ受信機能を備えた携帯電話機２であり、かつ、着信動作による通話の場合においては番号通知（通話相手先の電話番号の通知）があった場合には、通話中において本体表示部６００に画面表示している通話相手先の電話番号「０９０−５６７８−００００」がメモリに保存されているので、バッテリ切れ通知部４００は、保存されている通話相手先の電話番号「０９０−５６７８−００００」を、「ＳＭＳ宛先」（すなわち、ショートメッセージの送信先）として、自動的に設定して、図５のＳＭＳ送信画面に示すように、「バッテリ残容量が少ないことを知らせるＳＭＳメール」を送信先の相手に自動的に送信する。
【００３５】
一方、図５（Ｂ）に示すように、バッテリ切れ通知を示すショートメッセージの送信先が、ＳＭＳ規格準拠のショートメッセージ受信機能を備えていない固定電話機や公衆電話機であった場合や、あるいは、該ショートメッセージ受信機能を備えている場合であっても着信動作において番号非通知の端末であった場合には、ステップＳ６の判定処理にて説明した通り、ＳＭＳ規格準拠のショートメッセージを送信しても無駄であるし、また、ＳＭＳ規格準拠のショートメッセージ受信機能を備えている携帯電話機であっても、着信時に相手先の電話番号が非通知の携帯電話機であった場合には、ＳＭＳ規格準拠のショートメッセージを送信する相手先の電話番号が不明であって、送信することができないため、バッテリ切れ通知を示すショートメッセージを送信する動作は行わない。
【００３６】
ステップＳ７において、バッテリ切れ通知を示すショートメッセージの送信動作が終了すると、携帯端末制御部２００は、該ショートメッセージの送信動作が成功したか失敗したかを確認する（ステップＳ８）。しかし、該ショートメッセージの送信動作が成功したか失敗したかの如何に関わらず、携帯端末制御部２００は、通話中の携帯電話機２との間の通話を強制的に終話させる処理を実施した後、無線局３、交換局５、無線局４等のネットワークに対して、電源をＯＦＦにすることによるＤｅｔａｃｈ処理（開放処理）を実行する（ステップＳ９）。
【００３７】
携帯電話機１の携帯端末制御部２００が、ネットワークとの間でＤｅｔａｃｈ処理（開放処理）を行う一連の命令シーケンスは、例えば、図６に示す通りである。図６は、図１に示す携帯電話機１がネットワークに対するＤｅｔａｃｈ処理（開放処理）として実施する命令シーケンスの一例を示すシーケンスチャートであり、図６（Ａ）は、携帯電話機１が通話相手先との音声通話中に、バッテリ７００の残容量があらかじめ定めた閾値以下に低下したことを検出して、バッテリ切れ通知を示すショートメッセージ（ＳＭＳメッセージ）を、ネットワークを介して、通話相手先に送信する際の命令シーケンスの一例を示し、図６（Ｂ）は、バッテリ切れ通知を示すショートメッセージ（ＳＭＳメッセージ）を送信した携帯電話機１が、ネットワークに対して電源ＯＦＦによるＤＥＴＡＣＨ処理（開放処理）を行う際の命令シーケンスの一例を示している。
【００３８】
まず、図６（Ａ）の命令シーケンスについて説明する。図６（Ａ）の命令シーケンスに示すように、携帯電話機１の携帯端末制御部２００が、バッテリ残容量測定部３００の測定結果に基づいて、バッテリ７００の残容量があらかじめ定めた閾値以下に低下したことを検出して、バッテリ切れ通知部４００を起動すると、バッテリ切れ通知部４００は、ＳＭＳ規格準拠のバッテリ切れ通知を示すショートメッセージを作成して、ＣＭ（Connection  Management）サブレイヤレベルの「CM  SERVICE  REQUEST」というショートメッセージ送信要求を送信することにより（シーケンスＳｅｑ１）、ネットワークから、該ショートメッセージ送信要求を受け付けた旨を示す「CM  SERVICE  ACCEPT」を受信する（シーケンスＳｅｑ２）。
【００３９】
しかる後、携帯電話機１のバッテリ切れ通知部４００は、作成したバッテリ切れ通知を示すショートメッセージを「CP-DATA［RP-MO-DATA：SMS-SUBMIT］」として、ネットワークを介して通話相手先に送信する（シーケンスＳｅｑ３）。まず、ネットワークからは、該ショートメッセージを正常に受け取った旨を示す「CP-ACK」応答を受信する（シーケンスＳｅｑ４）。しかる後に、ネットワークから送信先の通話相手先に該ショートメッセージが配信された後に、該ショートメッセージの送信先の通話相手先から、該ショートメッセージを受信した旨を、「CP-DATA」として、ネットワークを介して受信すると（シーケンスＳｅｑ５）、該「CP-DATA」を正常に受信した旨を「CP-ACK」としてネットワークに返送する（シーケンスＳｅｑ６）
【００４０】
バッテリ切れ通知のショートメッセージを正しく通話相手先に送信したことを確認した携帯電話機１のバッテリ切れ通知部４００は、ショートメッセージの送信動作が終了し、ＣＭ（Connection  Management）サブレイヤレベルのデータ送受信動作を完了させるための要求を、「RELEASE」としてネットワークに送信し（シーケンスＳｅｑ７）、ネットワークから、該要求によりデータ送受信動作を完了させた旨を示す「RELEASE  COMPLETE」を受信する（シーケンスＳｅｑ８）。しかる後、バッテリ切れ通知部４００からバッテリ切れ通知の送信完了の旨を受け取った携帯電話機１のバッテリ切れ通知部４００は、通話相手先とのＲＲＣ（Radio  Resource  Control）レイヤレベルの接続開放処理を行う「RRC  Connection  Release  Procedure」を実行する（シーケンスＳｅｑ９）。
【００４１】
次に、図６（Ｂ）の命令シーケンスについて説明する。図６（Ｂ）の命令シーケンスに示すように、携帯電話機１の携帯端末制御部２００は、ネットワークに対してＲＲＣ（Radio  Resource  Control）レイヤレベルの無線接続のＤＥＴＡＣＨ処理（開放処理）を行うために、まず、ＲＲＣレイヤレベルの接続を確立する処理「RRC  Connection  Establishment  Procedure」を実行する（シーケンスＳｅｑ１０）。ＲＲＣレイヤレベルの接続が確立すると、次に、当該携帯電話機１は、ネットワークに対してＤＥＴＡＣＨ処理（開放処理）を要求する「Detach  Request」を送信する（シーケンスＳｅｑ１１）。なお、該「Detach  Request」には、ＤＥＴＡＣＨ処理（開放処理）を要求する理由を通知するために、当該携帯電話機１はまもなく電源をＯＦＦに切り替えるとの開放理由を「Detach  type＝'Power  switched  off'」として付している。
【００４２】
携帯電話機１から「Detach  Request」を受信したネットワークは、送信元の携帯電話機１との間で無線接続のＤＥＴＡＣＨ処理（開放処理）を行うための「Detach  Procedure」を実行した後（シーケンスＳｅｑ１２）、ＲＲＣレイヤレベルの接続を開放する処理「RRC  Connection  Release  Procedure」を実行する（シーケンスＳｅｑ１３）。
【００４３】
（本発明の他の実施形態）
前述の実施形態においては、通話中の状態として、通話相手先と音声による通話を行っている場合について説明したが、テレビ電話による映像を含む通話状態であっても良いし、パケット（つまりＩＰベース）の音声データによる通話状態であっても、もちろん構わない。
【００４４】
また、前述の実施形態においては、通話相手先に送信するバッテリ切れ通知を、ＳＭＳ規格準拠のショートメッセージを用いていたが、本発明は、かかる場合に限るものではない。例えば、通話中において、バッテリ７００の残容量があらかじめ定めた閾値以下に低下したことを検出した場合、携帯端末制御部２００は、図１に示すバッテリ切れ通知部４００を起動する代わりに、図１の音声装置８００（アナウンスマシン）を起動して、当該音声装置８００内にあらかじめ登録されている「まもなく当携帯電話機のバッテリが切れます」という趣旨の音声情報（人工音声または録音音声による音声メッセージ）をバッテリ切れ通知メッセージとして、通話相手先に送信させるようにし、該バッテリ切れ通知メッセージの送信後に、通話を切断し、電源ＯＦＦによるＤＥＴＡＣＨ処理（開放処理）を実施するようにしても良い。
【００４５】
かくのごとく、音声装置８００からの音声情報（人工音声または録音音声による音声メッセージ）をバッテリ切れ通知メッセージとして、通話相手先に送信する場合、通話相手先が、ＳＭＳ規格準拠のショートメッセージ受信機能を有する携帯端末のみならず、ＳＭＳ規格準拠のショートメッセージ受信機能を備えていない固定電話機、公衆電話機であっても構わないし、また、着信時に通話相手先の電話番号を通知してこない番号非通知の通信端末であっても構わない。
【００４６】
さらには、例えば、通話相手先の通信端末がＳＭＳ規格準拠のショートメッセージ受信機能を有しているか否か、および、着信動作時に通話相手先の電話番号を通知してきたか否かに基づいて、バッテリ切れ通知の送信方法を、ＳＭＳ規格準拠のショートメッセージを用いるかまたは音声装置８００からの音声情報（バッテリ切れを示すアナウンス情報）を用いるかを判別するようにしても良い。つまり、ＳＭＳ規格準拠のショートメッセージを用いてバッテリ切れ通知を送信することが可能であると判定した場合には、ＳＭＳ規格準拠のショートメッセージを用いてバッテリ切れ通知を送信し、一方、ＳＭＳ規格準拠のショートメッセージを用いてバッテリ切れ通知を送信することが不可能であると判定した場合には、音声装置８００からの音声情報（バッテリ切れを示すアナウンス情報）を用いてバッテリ切れ通知メッセージを送信するようにしても良い。
【００４７】
ここで、音声装置８００からの音声情報（人工音声または録音音声による音声メッセージ）をバッテリ切れ通知メッセージとして、通話相手先に送信する場合の動作を、バッテリ切れ通知をＳＭＳ規格準拠のショートメッセージにより送信する場合の図２のフローチャートに対応させて説明すると、次の通りである。
【００４８】
音声装置８００からの音声情報をバッテリ切れ通知メッセージとして用いる場合、如何なる通話相手先であっても音声装置８００からの音声情報を受信することができる。したがって、携帯端末制御部２００は、図２のステップＳ６における通話相手先を判別する処理を実施することなく、ただちに、図２のステップＳ７に相当するバッテリ切れ通知メッセージの送信動作に移行して、まず、通話状態にあるユーザの音声を取り込むマイクの入力動作を停止させた後、音声装置８００を起動して、当該音声装置８００に登録されているバッテリ切れ通知メッセージを通話相手先に送信させる。
【００４９】
音声装置８００からのバッテリ切れ通知メッセージの送信動作が終了すると、図２のステップＳ８と同様、携帯端末制御部２００は、音声装置８００からの該バッテリ切れ通知メッセージの送信動作が成功したか失敗したかを確認する。しかる後、該バッテリ切れ通知メッセージの送信動作が成功したか失敗したかの如何に関わらず、携帯端末制御部２００は、図２のステップＳ９と同様、通話中の携帯電話機２との間の通話を強制的に終話させる処理を実施した後、無線局３、交換局５、無線局４等のネットワークに対して、電源のＯＦＦによるＤｅｔａｃｈ処理（開放処理）を実行する。
【００５０】
また、通話相手先に送信するバッテリ切れ通知を、ＳＭＳ準拠のショートメッセージや、音声装置８００からの音声情報を用いる代わりに、パケットベースのメールを用いるようにしても良い。つまり、携帯電話機１に、通話相手先（発信した相手先または着信してきた相手先）のメールアドレスを登録している状態になっている場合には、携帯端末制御部２００は、前述のステップＳ７において、バッテリ切れ通知を、ＳＭＳ規格準拠のショートメッセージにより送信する代わりに、バッテリ切れ通知を、パケットベースのメールとして作成して、通話相手先のメールアドレスに対して、送信するようにしても良い。
【００５１】
また、かくのごとく、携帯端末制御部２００は、メールによるバッテリ切れ通知を行う場合、メールアドレスが登録されている通話相手先の通信端末であり、かつ、ＳＭＳ規格準拠のショートメッセージ受信機能を有していない端末（固定電話機、公衆電話機、ＩＰ電話機等）か否か、あるいは、着信時に番号非通知の端末であったか否かに応じて、ＳＭＳ規格準拠のショートメッセージを用いてバッテリ切れ通知を送信する場合と切り替えて適用するようにしても良い。
【００５２】
また、バッテリ切れ通知を通話相手先に送信するタイミングについては、前述の実施形態の説明においては、「まもなくバッテリ７００の残容量がなくなる」状態にあって、バッテリ切れ通知を送信した後は、ただちに、通話相手先との終話処理に移行している例を示したが、本発明は、かかる場合に限るものではない。例えば、通話が可能な残り時間があらかじめ定めた所定通話可能時間例えば５分以下になったというタイミングで、バッテリ切れ通知を予告通知として通話相手先に送信するようにしても良い。かくのごとく、予告通知としてのバッテリ切れ通知を通話相手先に通知することによって、当該携帯電話機１のユーザのみならず、通話相手先も、バッテリ７００が切れて通話が不能になってしまう前に、重要な件に関する通話は済ませることができる。
【００５３】
（実施形態の効果の説明）
以上に詳細に説明したように、図１に示した携帯電話機１等の本発明に係る携帯端末によれば、バッテリ７００の残容量が少なくなった場合に、自動的に、通話相手先に対して、ＳＭＳ規格準拠のショートメッセージもしくは音声装置８００にあらかじめ登録している音声情報により、まもなくバッテリ７００の残容量が切れる旨を事前に通知しているので、通話中に突然のバッテリ７００切れにより突然通話切断が発生するという失礼な事態の発生を完全に防止することができる。通話相手先は、通話の途中で通話が不能になった原因について、相手の携帯電話機１のバッテリ７００の残容量が切れたことが原因であることを容易に理解することができる。
【００５４】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様の一部又は全部は、以下の付記のようにも記載されうるが、以下には限られない。
（付記１）通話相手先との通話を行う携帯端末であって、バッテリの残容量を測定するバッテリ残容量測定部を少なくとも備えた携帯端末において、前記通話相手先との通話中の状態において、前記バッテリ残容量測定部によって測定された前記バッテリの残容量が、あらかじめ定めた閾値以下に低下したことを検出した場合、まもなくバッテリ切れになる旨を、ＳＭＳ（Short  Message  Service）規格準拠のショートメッセージとして作成して、作成した該ショートメッセージをバッテリ切れ通知として前記通話相手先に送信することを特徴とする携帯端末。
（付記２）通話相手先との通話を行う携帯端末であって、バッテリの残容量を測定するバッテリ残容量測定部とあらかじめ登録している音声情報を送信する音声装置とを少なくとも備えた携帯端末において、前記通話相手先との通話中の状態において、前記バッテリ残容量測定部によって測定された前記バッテリの残容量が、あらかじめ定めた閾値以下に低下したことを検出した場合、前記音声装置にあらかじめ登録されている音声情報のうち、まもなくバッテリ切れになる旨を示す音声情報を、バッテリ切れ通知として前記通話相手先に送信する携帯端末。
（付記３）前記通話相手先に送信する前記バッテリ切れ通知として、当該バッテリ切れ通知の送信後に、ただちに、あるいは、あらかじめ定めた時間の経過後に、通話状態を強制的に終了させる動作としてネットワークに対して電源ＯＦＦによる開放処理を行う旨の情報を含んでいる上記付記（１）または（２）の携帯端末。
（付記４）前記通話相手先が、ＳＭＳ規格準拠のショートメッセージ受信機能を有している通信端末か否か、および、着信動作による通話の場合当該通話相手先の電話番号を通知してきたか否かに基づいて、当該通話相手先に送信する前記バッテリ切れ通知の送信方法として、ＳＭＳ規格準拠のショートメッセージを用いるか、または、前記音声装置からの音声情報を用いるか、のいずれかを判別する上記付記（１）ないし（３）のいずれかの携帯端末。
（付記５）バッテリの残容量を測定するバッテリ残容量測定部を少なくとも備え、かつ、通話相手先との通話を行う携帯端末におけるバッテリ切れ通知方法であって、前記通話相手先との通話中の状態において、前記バッテリ残容量測定部によって測定された前記バッテリの残容量が、あらかじめ定めた閾値以下に低下したことを検出した場合、まもなくバッテリ切れになる旨を、ＳＭＳ（Short  Message  Service）規格準拠のショートメッセージとして作成して、作成した該ショートメッセージをバッテリ切れ通知として前記通話相手先に送信するバッテリ切れ通知方法。
（付記６）バッテリの残容量を測定するバッテリ残容量測定部とあらかじめ登録している音声情報を送信する音声装置とを少なくとも備え、かつ、通話相手先との通話を行う携帯端末におけるバッテリ切れ通知方法であって、前記通話相手先との通話中の状態において、前記バッテリ残容量測定部によって測定された前記バッテリの残容量が、あらかじめ定めた閾値以下に低下したことを検出した場合、前記音声装置にあらかじめ登録されている音声情報のうち、まもなくバッテリ切れになる旨を示す音声情報を、バッテリ切れ通知として前記通話相手先に送信するバッテリ切れ通知方法。
（付記７）前記通話相手先に送信する前記バッテリ切れ通知として、当該バッテリ切れ通知の送信後に、ただちに、あるいは、あらかじめ定めた時間の経過後に、通話状態を強制的に終了させる動作としてネットワークに対して電源ＯＦＦによる開放処理を行う旨の情報を含んでいる上記付記（５）または（６）のバッテリ切れ通知方法。
（付記８）前記通話相手先が、ＳＭＳ規格準拠のショートメッセージ受信機能を有している通信端末か否か、および、着信動作による通話の場合当該通話相手先の電話番号を通知してきたか否かに基づいて、当該通話相手先に送信する前記バッテリ切れ通知の送信方法として、ＳＭＳ規格準拠のショートメッセージを用いるか、または、前記音声装置からの音声情報を用いるか、のいずれかを判別する上記付記（５）ないし（７）のいずれかのバッテリ切れ通知方法。
（付記９）上記付記（５）ないし（８）のいずれかのバッテリ切れ通知方法を、コンピュータによって実行可能なプログラムとして実施しているバッテリ切れ通知プログラム。
（付記１０）上記付記（９）のバッテリ切れ通知プログラムを、コンピュータによって読み取り可能な記録媒体に記録しているプログラム記録媒。
【符号の説明】
【００５５】
１        携帯電話機
２        携帯電話機
３        無線局
４        無線局
５        交換局
１００    無線部
２００    携帯端末制御部
３００    バッテリ残容量測定部
４００    バッテリ切れ通知部
５００    本体操作部
６００    本体表示部
７００    バッテリ
８００    音声装置
【図１】
2011171910.tif 000003
【図２】
2011171910.tif 000004
【図３】
2011171910.tif 000005
【図４】
2011171910.tif 000006
【図５】
2011171910.tif 000007
【図６】
2011171910.tif 000008